【手続補正書】
【提出日】平成17年10月20日(2005.10.20)
【手続補正１】
【補正対象書類名】明細書
【補正対象項目名】特許請求の範囲
【補正方法】変更
【補正の内容】
【特許請求の範囲】
【請求項１】  複数の段を有する記号シフトレジスタ、記号相関器、複数の段を有するフレームシフトレジスタ、およびフレーム相関器を、受信スペクトル拡散信号に対してスペクトル拡散受信器と共に使用する方法であって、前記受信スペクトル拡散信号は複数のパケットを有し、各パケットはヘッダ記号シーケンス信号をヘッダチップシーケンス信号でスペクトル拡散処理することおよびデータ記号シーケンス信号をデータチップシーケンス信号でスペクトル拡散処理することから生成され、前記ヘッダチップシーケンス信号はデータチップシーケンス信号とは異なり、
前記記号シフトレジスタ内でヘッダチップシーケンス信号のレプリカを循環させるステップと、
前記記号相関器で、記号シフトレジスタの各段の出力において、受信スペクトル拡散信号のヘッダ信号サンプルを相関させるステップと、
前記記号相関器から各ヘッダ信号サンプルについて、記号シフトレジスタの複数の段に対応して、複数のヘッダ相関信号をそれぞれ出力するステップと、
前記ヘッダ相関信号に応答して、非拡散ヘッダ記号信号を検出するステップと、
多数のヘッダ信号サンプルに応答しかつ該ヘッダ信号サンプルの各々について複数のヘッダ相関信号を出力することに応答して、複数の非拡散ヘッダ記号信号を非拡散ヘッダ記号シーケンス信号として検出するステップと、
前記フレームシフトレジスタ内でヘッダ記号シーケンス信号のレプリカを循環させるステップと、
前記フレーム相関器で、フレームシフトレジスタの各段の出力において、非拡散ヘッダ記号シーケンス信号の記号信号サンプルを相関させるステップと、
前記フレーム相関器から、各記号信号サンプルについて、フレームシフトレジスタの複数の段に対応して、複数のフレーム相関信号をそれぞれ出力するステップと、
多数の記号信号サンプルに応答しかつ多数の記号信号サンプルの各々について前記複数のフレーム相関信号を出力することに応答して、ピークヘッダ相関信号を検出するステップと、
前記ピークヘッダ相関信号の検出に応答して開始データ信号を生成するステップと、
前記開始データ信号に応答して、前記記号シフトレジスタを設定し、データチップシーケンス信号のレプリカを循環させるステップと、
前記データチップシーケンス信号のレプリカを循環させる前記記号シフトレジスタに応答して、記号シフトレジスタの各段の出力において、受信スペクトル拡散信号のデータ信号サンプルを相関させるステップと、
各データ信号サンプルについて、前記記号シフトレジスタの複数の段に対応して、複数のデータ相関信号をそれぞれ出力するステップと、
前記複数のデータ相関信号に応答して、非拡散データ記号信号を検出するステップと、
多数のデータ信号サンプルに応答しかつ該データ信号サンプルの各々について複数のデータ相関信号を出力することに応答して、複数の非拡散データ記号信号を非拡散データ記号シーケンス信号として検出するステップと
を備えたことを特徴とする方法。
【請求項２】  前記ヘッダチップシーケンス信号のレプリカを循環させる前記記号シフトレジスタに応答して、記号シフトレジスタの各段の出力において、受信スペクトル拡散信号のヘッダ信号サンプルの同相成分を相関させるステップと、
前記ヘッダ信号サンプルの各同相成分について、前記記号シフトレジスタの複数の段に対応して、複数の同相ヘッダ相関信号をそれぞれ出力するステップと、
前記ヘッダ信号サンプルの多数の同相成分に応答しかつ該ヘッダ信号サンプルの同相成分の各々について複数の同相ヘッダ相関信号を出力することに応答して、非拡散ヘッダ記号シーケンス信号の同相成分を検出するステップと、
前記ヘッダチップシーケンス信号のレプリカを循環させる前記記号シフトレジスタに応答して、記号シフトレジスタの各段の出力において、受信スペクトル拡散信号のヘッダ信号サンプルの直交位相成分を相関させるステップと、
前記ヘッダ信号サンプルの各直交位相成分について、前記記号シフトレジスタの複数の段に対応して、複数の直交位相ヘッダ相関信号をそれぞれ出力するステップと、
前記ヘッダ信号サンプルの多数の直交位相成分に応答しかつ該ヘッダ信号サンプルの直交位相成分の各々について複数の直交位相ヘッダ信号相関信号を出力することに応答して、非拡散ヘッダ記号シーケンス信号の直交位相成分を検出するステップと
をさらに含むことを特徴とする請求項１に記載の方法。
【請求項３】  前記データチップシーケンス信号のレプリカを循環させる前記記号シフトレジスタに応答して、記号シフトレジスタの各段の出力において、受信スペクトル拡散信号のデータ信号サンプルの同相成分を相関させるステップと、
前記データ信号サンプルの各同相成分について、前記記号シフトレジスタの複数の段に対応して、複数の同相データ相関信号をそれぞれ出力するステップと、
前記データ信号サンプルの多数の同相成分に応答しかつ該データ信号サンプルの同相成分の各々について複数の同相データ相関信号を出力することに応答して、非拡散データ記号シーケンス信号の同相成分を検出するステップと、
前記データチップシーケンス信号のレプリカを循環させる前記記号シフトレジスタに応答して、記号シフトレジスタの各段の出力において、受信スペクトル拡散信号のデータ信号サンプルの直交位相成分を相関させるステップと、
前記データ信号サンプルの各直交位相成分について、前記記号シフトレジスタの複数の段に応答して、複数の直交位相データ相関信号をそれぞれ出力するステップと、
前記データ信号サンプルの多数の直交位相成分に応答しかつ該データ信号サンプルの直交位相成分の各々について複数の直交位相データ信号相関信号を出力することに応答して、非拡散データ記号シーケンス信号の直交位相成分を検出するステップと
をさらに含むことを特徴とする請求項１に記載の方法。
【請求項４】  同相フレームインパルス応答に一致する非拡散ヘッダ記号シーケンス信号の同相成分に応答して、同相開始データ信号を生成するステップと、
直交位相フレームインパルス応答に一致する非拡散ヘッダ記号シーケンス信号の直交位相成分に応答して直交位相開始データ信号を生成するステップと
をさらに含むことを特徴とする請求項２に記載の方法。
【請求項５】  非拡散データ記号シーケンス信号を受信データ記号シーケンス信号として復調するステップをさらに含むことを特徴とする請求項１に記載の方法。
【請求項６】  前記非拡散ヘッダ記号シーケンス信号の同相成分および前記非拡散ヘッダ記号シーケンス信号の直交位相成分を受信ヘッダ記号シーケンス信号として復調するステップをさらに含むことを特徴とする請求項２に記載の方法。
【請求項７】  前記非拡散データ記号シーケンス信号の同相成分および前記非拡散データ記号シーケンス信号の直交位相成分を受信データ記号シーケンス信号として復調するステップをさらに含むことを特徴とする請求項３に記載の方法。
【請求項８】  複数のパケットを有する受信スペクトル拡散信号に対してスペクトル拡散受信器と共に使用するためのスペクトル拡散相関器装置であって、各パケットはヘッダ記号シーケンス信号をヘッダチップシーケンス信号でスペクトル拡散処理することおよびデータ記号シーケンス信号をデータチップシーケンス信号でスペクトル拡散処理することから生成され、前記ヘッダチップシーケンス信号は前記データチップシーケンス信号とは異なり、
複数の段を有し、ヘッダチップシーケンス信号のレプリカを循環させる記号シフトレジスタ（２９、８０）と、
前記記号シフトレジスタの複数の段に結合され、前記記号シフトレジスタの各段の出力において、受信スペクトラム信号のヘッダ信号サンプルを相関させ、および各ヘッダ信号サンプルについて、前記記号シフトレジスタの複数の段に応答して、複数のヘッダ相関信号をそれぞれ出力する記号相関器であって、該記号相関器は複数のヘッダ相関信号に応答して非拡散ヘッダ記号信号を検出し、および多数のヘッダ信号サンプルに応答しかつ該ヘッダ記号サンプルの各々について複数のヘッダ相関信号を出力することに応答して、複数の非拡散ヘッダ記号信号を非拡散ヘッダ記号シーケンス信号として検出する記号相関器（３５、３７、８１、８４）と、
前記ヘッダ記号シーケンス信号に一致したフレームインパルス応答を有し、前記非拡散ヘッダ記号シーケンス信号を濾波し、および前記フレームインパルス応答に一致する非拡散ヘッダ記号シーケンス信号に応答してピークヘッダ相関信号を生成するフレーム相関器（３８、３９、８１、８４）と、
前記記号シフトレジスタに結合され、開始データ信号に応答して前記記号シフトレジスタを設定しデータチップシーケンス信号のレプリカを循環させる制御プロセッサ（４６）と、
前記データチップシーケンス信号のレプリカを循環させる前記記号シフトレジスタに応答して、前記記号シフトレジスタの各段の出力において、受信スペクトル拡散信号のデータ信号サンプルを相関させる役割を果たし、および各データ信号サンプルについて、前記記号シフトレジスタの複数の段に対応して、複数のデータ相関信号をそれぞれ出力する前記記号相関器と、
前記複数のデータ相関信号に応答して、非拡散データ記号信号を検出し、および多数のデータ信号サンプルに応答しかつ該データ信号サンプルの各々について複数のデータ相関信号を出力することに応答して、複数の非拡散データ記号信号を非拡散データ記号シーケンス信号として検出する前記記号相関器と
を備えることを特徴とするスペクトル拡散相関器装置。
【請求項９】  複数の段を有し、ヘッダ記号シーケンス信号のレプリカを
循環させるフレームシフトレジスタ（７２、８０）と、
前記フレームシフトレジスタの複数の段に結合され、前記フレームシフトレジスタの各段の出力において非拡散ヘッダ記号信号の記号信号サンプルを相関させ、および各記号信号サンプルについて、前記フレームシフトレジスタの複数の段に対応して、複数のフレーム相関信号をそれぞれ出力するフレーム相関器であって、該フレーム相関器は多数の記号信号サンプルに応答しかつ該多数の記号信号サンプルの各々について複数のフレーム相関信号を出力することに応答して、ピークヘッダ相関信号を検出し、および該ピークヘッダ相関信号の検出に応答して開始データ信号を生成する前記フレーム相関器（３８、３９）と
をさらに備えることを特徴とする請求項８に記載のスペクトル拡散相関器装置。
【請求項１０】  前記記号相関器（３５、３７、８１、８４）は、
前記記号シフトレジスタの複数の段に結合され、および前記ヘッダチップシーケンス信号のレプリカを循環させる前記記号シフトレジスタに応答して、該記号シフトレジスタの各段の出力において受信スペクトル拡散信号のヘッダ信号サンプルの同相成分を相関させ、およびヘッダ信号サンプルの各同相成分について、前記記号シフトレジスタの複数の段に対応して、複数の同相ヘッダ相関信号をそれぞれ出力する同相記号相関器であって、該同相記号相関器は、複数の同相ヘッダ相関信号に応答して、同相非拡散ヘッダ記号信号を検出し、および前記ヘッダ信号サンプルの多数の同相成分に応答しかつ該ヘッダ信号サンプルの同相成分の各々について複数の同相ヘッダ相関信号を出力することに応答して、複数の同相非拡散ヘッダ記号信号を非拡散ヘッダ記号シーケンス信号の同相成分として検出する同相記号相関器（３５）、および
前記記号シフトレジスタの複数の段に結合され、および前記ヘッダチップシーケンス信号のレプリカを循環させる前記記号シフトレジスタに応答して、該記号シフトレジスタの各段の出力において受信スペクトル拡散信号のヘッダ信号サンプルの直交位相成分を相関させ、および該ヘッダ信号サンプルの各直交位相成分について、前記記号シフトレジスタの複数の段に対応して、複数の直交位相ヘッダ相関信号をそれぞれ出力する直交位相記号相関器であって、該直交位相記号相関器は、前記複数の直交位相ヘッダ相関信号に応答して、直交位相非拡散ヘッダ記号信号を検出し、および前記ヘッダ信号サンプルの多数の直交位相成分に応答しかつ該ヘッダ信号サンプルの直交位相成分の各々について複数の直交位相ヘッダ相関信号を出力することに応答して、複数の直交位相非拡散ヘッダ記号信号を非拡散ヘッダ記号シーケンス信号の直交位相成分として検出する直交位相記号相関器（３７）
として機能することを特徴とする請求項８に記載のスペクトル拡散相関器装置。
【請求項１１】  前記フレーム相関器は、
前記ヘッダ記号シーケンス信号の同相成分に一致した同相インパルス応答を有し、同相インパルス応答に一致する非拡散ヘッダ記号シーケンス信号の同相成分に応答して同相データ開始信号を生成する同相フレーム相関器（３８）、および
前記ヘッダ記号シーケンス信号の直交位相成分に一致した直交位相インパルス応答を有し、直交位相インパルス応答に一致する非拡散ヘッダ記号シーケンス信号の直交位相成分に応答して直交位相データ開始信号を生成する直交位相フレーム相関器（３９）
として機能することを特徴とする請求項１０に記載のスペクトル拡散相関器装置。
【請求項１２】  前記記号相関器（３５、３７）に結合され、前記非拡散データ記号シーケンス信号を受信データ記号シーケンス信号として復調する復調器（４１）をさらに含むことを特徴とする請求項８に記載のスペクトル拡散相関器装置。
【請求項１３】  前記同相記号相関器（３５）および前記直交位相記号相関器（３７）に結合され、前記非拡散ヘッダ記号シーケンス信号の同相成分と、前記非拡散ヘッダ記号シーケンス信号の直交位相成分とを受信ヘッダ記号シーケンス信号として復調する復調器をさらに含むことを特徴とする請求項１１に記載のスペクトル拡散相関器装置。
【請求項１４】  前記同相記号相関器（３５）は、前記記号シフトレジスタの複数の段に結合され、および前記データチップシーケンス信号のレプリカを循環させる前記記号シフトレジスタに応答して、該記号シフトレジスタの各段の出力において受信スペクトル拡散信号のデータ信号サンプルの同相成分を相関させ、および該データ信号サンプルの各同相成分について、前記記号シフトレジスタの複数の段に対応して複数の同相データ相関信号をそれぞれ出力し、前記同相記号相関器は前記複数の同相データ相関信号に応答して同相非拡散データ記号信号を検出し、および前記データ信号サンプルの多数の同相成分に応答しかつ該データ信号サンプルの同相成分の各々について複数の同相データ相関信号を出力することに応答して、複数の同相非拡散データ記号信号を非拡散データ記号シーケンス信号の同相成分として検出し、
かつ前記直交位相記号相関器（３７）は、前記記号シフトレジスタの複数の段に結合され、および前記データチップシーケンス信号のレプリカを循環させる前記記号シフトレジスタに応答して、該記号シフトレジスタの各段の出力において受信スペクトル拡散信号のデータ信号サンプルの直交位相成分を相関させ、および該データ信号サンプルの各直交位相成分について、記号シフトレジスタの複数の段に対応して複数の直交位相データ相関信号をそれぞれ出力し、前記直交位相記号相関器は複数の直交位相データ相関信号に応答して直交位相非拡散データ記号信号を検出し、および前記データ信号サンプルの多数の直交位相成分に応答しかつ該データ信号サンプルの直交位相成分の各々について複数の直交位相データ相関信号を出力することに応答して、複数の直交位相非拡散データ記号信号を非拡散データ記号シーケンス信号の直交位相成分として検出することを特徴とする請求項１０に記載のスペクトル拡散相関器装置。
【請求項１５】  前記同相記号相関器（３５）および前記直交位相記号相関器（３７）に結合され、前記非拡散データ記号シーケンス信号の同相成分および前記非拡散データ記号シーケンス信号の直交位相成分を受信データ記号シーケンス信号として復調する復調器（４１）をさらに含むことを特徴とする請求項１４に記載のスペクトル拡散相関器装置。
【請求項１６】  前記記号シフトレジスタの複数の段に結合され、および前記ヘッダチップシーケンス信号のレプリカを循環させる前記記号シフトレジスタに応答し、該記号シフトレジスタの各段の出力において受信スペクトル拡散信号のヘッダ信号サンプルを相関させ、および各ヘッダ信号サンプルについて記号シフトレジスタの複数の段に対応して、複数のヘッダ相関信号をそれぞれ出力し、前記記号相関器手段は、複数のヘッダ相関信号に応答して非拡散ヘッダ記号信号を検出し、および多数のヘッダ信号サンプルに応答しかつ多数のヘッダ信号サンプルの各々について複数のヘッダ相関信号を出力することに応答して、複数の非拡散ヘッダ記号信号を非拡散ヘッダ記号シーケンス信号として検出する記号相関器手段（３５、３７、８１、８４）と、
複数の段を有し、ヘッダ記号シーケンス信号のレプリカを循環させるフレームシフトレジスタ（７２、８０）と、
前記フレームシフトレジスタの複数の段に結合され、フレームシフトレジスタの各段の出力において、非拡散ヘッダ記号シーケンス信号の記号信号サンプルを相関させ、および各記号信号サンプルについて、前記フレームシフトレジスタの複数の段に対応して、複数のフレーム相関信号をそれぞれ出力し、前記フレーム相関器手段は多数の記号信号サンプルに応答しかつ多数の記号信号サンプルの各々について複数のフレーム相関信号を出力することに応答して、ピークヘッダ相関信号を検出し、およびピークヘッダ相関信号の検出に応答して開始データ信号を生成するフレーム相関器手段（３８、３９、８１、８４）とを備え、
前記記号相関器手段（３５、３７、８１、８４）は、データチップシーケンス信号のレプリカを循環させる前記記号シフトレジスタに応答し、前記記号シフトレジスタの各段の出力において、受信スペクトル拡散信号のデータ信号サンプルを相関させる役割を果たし、および各データ信号サンプルについて、前記記号シフトレジスタの複数の段に対応して複数のデータ相関信号をそれぞれ出力し、前記記号相関器手段は、複数のデータ相関信号に応答して、非拡散データ記号信号を検出し、および多数のデータ信号サンプルに応答しかつデータ信号サンプルの各々について複数のデータ相関信号を出力することに応答して、複数の非拡散データ記号信号を非拡散データ記号シーケンス信号として検出することを特徴とする請求項８に記載のスペクトル拡散相関器装置。
【請求項１７】  前記記号相関器手段（３５、３７、８１、８４）は、
前記記号シフトレジスタの複数の段に結合され、およびヘッダチップシーケンス信号のレプリカを循環させる前記記号シフトレジスタに応答して、記号シフトレジスタの各段の出力において、受信スペクトル拡散信号のヘッダ信号サンプルの同相成分を相関させ、および該ヘッダ信号サンプルの各同相成分について、前記記号シフトレジスタの複数の段に対応して、複数の同相ヘッダ相関信号をそれぞれ出力する同相記号相関器手段であって、該同相記号相関器手段は、複数の同相ヘッダ相関信号に応答して同相非拡散ヘッダ記号信号を検出し、および前記ヘッダ信号サンプルの多数の同相成分に応答しかつ該ヘッダ信号サンプルの同相成分の各々について複数の同相ヘッダ相関信号を出力することに応答して、複数の同相非拡散ヘッダ記号信号を非拡散ヘッダ記号シーケンス信号の同相成分として検出する同相記号相関器手段（３５）、および
前記記号シフトレジスタの複数の段に結合され、および前記ヘッダチップシーケンス信号のレプリカを循環させる前記記号シフトレジスタに応答して、該記号シフトレジスタの各段の出力において、前記受信スペクトル拡散信号のヘッダ信号サンプルの直交位相成分を相関させ、および該ヘッダ信号サンプルの各直交位相成分について、前記記号シフトレジスタの複数の段に対応して、複数の直交位相ヘッダ相関信号をそれぞれ出力する直交位相記号相関器手段であって、該直交位相記号相関器手段は、複数の直交位相ヘッダ相関信号に応答して直交位相非拡散ヘッダ記号信号を検出し、および前記ヘッダ信号サンプルの多数の直交位相成分に応答しかつ該ヘッダ信号サンプルの直交位相成分の各々について複数の直交位相ヘッダ相関信号を出力することに応答して、複数の直交位相非拡散ヘッダ記号信号を非拡散ヘッダ記号シーケンス信号の直交位相成分として検出する直交位相記号相関器手段（３７）
として機能することを特徴とする請求項１６に記載のスペクトル拡散相関器装置。
【請求項１８】  前記フレーム相関器手段（３８、３９、８１、８４）は、
前記フレームシフトレジスタの複数の段に結合され、前記フレームシフトレジスタの各段の出力において非拡散ヘッダ記号シーケンス信号の記号信号サンプルの同相成分を相関させ、および各記号信号サンプルの各同相成分について、前記フレームシフトレジスタの複数の段に対応して、複数の同相フレーム相関信号をそれぞれ出力する同相フレーム相関器手段であって、該同相フレーム相関器手段は、前記記号信号サンプルの多数の同相成分に応答しかつ該記号信号サンプルの多数の同相成分の各々について複数のフレーム相関信号を出力することに応答して、同相ピークヘッダ相関信号を検出し、および同相ピークヘッダ相関信号の検出に応答して同相開始データ信号を生成する同相フレーム相関器手段（３８）、および
前記フレームシフトレジスタの複数の段に結合され、前記フレームシフトレジスタの各段の出力において非拡散ヘッダ記号シーケンス信号の記号信号サンプルの直交位相成分を相関させ、および各記号信号サンプルの各直交位相成分について、前記フレームシフトレジスタの複数の段に対応して、複数の直交位相フレーム相関信号をそれぞれ出力する直交位相フレーム相関器手段であって、該直交位相フレーム相関器手段は、記号信号サンプルの多数の直交位相成分に応答しかつ該記号信号サンプルの多数の直交位相成分の各々について複数の直交位相フレーム相関信号を出力することに応答して、直交位相ピークヘッダ相関信号を検出し、該直交位相ピークヘッダ相関信号の検出に応答して直交位相開始データ信号を生成する直交位相フレーム相関器手段（３９）
として機能することを特徴とする請求項１６または１７に記載のスペクトル拡散相関器装置。